(57)【特許請求の範囲】
【請求項１】
観察用光源及び撮影用光源からの光を照明光学系を介して被検眼の眼底に照射し、眼底からの反射光を結像光学系を介して結像させ眼底を観察もしくは撮影する眼底カメラにおいて、
眼底カメラを散瞳型あるいは無散瞳型の機能に切り替える手段と、
前記観察用光源の発光波長を散瞳型あるいは無散瞳型に切り替える手段と、
前記観察用光源の光量を散瞳型あるいは無散瞳型に切り替える手段と、
前記撮影用光源の光量を散瞳型あるいは無散瞳型に切り替える手段と、
前記照明光学系を散瞳型あるいは無散瞳型に切り替える手段とを備え、
前記機能の切り替えに連動して、観察用光源の発光波長と、観察用並びに撮影用光源の光量と、照明光学系とをそれぞれ散瞳型あるいは無散瞳型に切り替え、
観察用光源の光量は、無散瞳型に切り替えられたときは、散瞳型のときよりも減少されることを特徴とする眼底カメラ。
【請求項２】
眼底にフォーカス指標を投影する手段と、眼底に投影されたフォーカス指標の反射光を受光して結像光学系のフォーカス制御を行なう手段を設け、無散瞳型の機能に切り替えた場合には、赤外光のフォーカス指標が眼底に投影され、一方散瞳型の機能に切り替えた場合には、可視光のフォーカス指標が眼底に投影されることを特徴とする請求項１に記載の眼底カメラ。
【請求項３】
前記赤外光のフォーカス指標が赤外発光ダイオードにより、また前記可視光のフォーカス指標が可視光発光ダイオードにより形成されることを特徴とする請求項２に記載の眼底カメラ。
【請求項４】
無散瞳型の機能に切り替えた場合には、前記赤外光のフォーカス指標の反射光をＣＣＤにより受光してフォーカス制御を行ない、散瞳型の機能に切り替えた場合には、可視光のフォーカス指標を接眼レンズを介して観察することによりフォーカス制御を行なうことを特徴とする請求項２または３に記載の眼底カメラ。
【請求項５】
前記観察用光源が赤外光と可視光の波長を発光し、可視光の発光波長が観察用光源の前に可視光透過フィルターを配置することにより形成され、また赤外光の発光波長が観察用光源の前に赤外光透過フィルターを配置することにより形成されることを特徴とする請求項１から４までのいずれか１項に記載の眼底カメラ。
【発明の詳細な説明】
【０００１】
【発明の属する技術分野】
本発明は、眼底カメラ、更に詳細には、散瞳型眼底カメラと無散瞳型眼底カメラを一体化し、両眼底カメラの機能を切り替えることが可能な眼底カメラに関する。
【０００２】
【従来の技術】
光源からの光で照明された眼底からの反射光を結像させ眼底像を撮影するカメラとして、一般的には散瞳型眼底カメラと無散瞳型眼底カメラが知られている。散瞳型眼底カメラは、主に可視光の光源を使用し、画角を広く撮影できカメラ自体のアオリ機構をもつことにより眼底の隅々まで撮影を可能としている。この種の眼底カメラの欠点としては被検眼を散瞳する必要があり、被検者に多大の負担を強いることである。一方、無散瞳型の眼底カメラでは、光源として赤外光を使用することから被検眼を散瞳させる必要はないが、画角は散瞳型ほど広くなく眼底黄班部を中心に撮影が行なわれ、またピント合わせは可視光を用いず、赤外光のフォーカス指標を眼底に投影することによりフォーカス制御が行なわれている。
【０００３】
また、近年になりこれらの散瞳型と無散瞳型の機能を兼ね備えた散瞳、無散瞳一体型眼底カメラも実現されるようになってきた。
【０００４】
【発明が解決しようとする課題】
従来の散瞳、無散瞳一体型眼底カメラでは、散瞳型あるいは無散瞳型の切り替えに従って観察用光源の発光波長を可視光と赤外光とに切り替えたり、照明光学系を散瞳型と無散瞳型に切り替えるだけであったため、被検眼の撮影瞳孔径の違いによる光量の変化や観察、及び撮影媒体の感度の違いによる眼底像の明るさの変化に対応できず、マニュアル操作によって適正な観察光量や撮影光量に調節しなければならないという問題がある。
【０００５】
本発明の課題は、散瞳型と無散瞳型の機能を備え、簡単な手段により両機能を切り替えることが可能で、しかも操作が簡単な散瞳、無散瞳一体型眼底カメラを提供することである。
【０００６】
【課題を解決するための手段】
本発明は、この課題を解決するために、観察用光源及び撮影用光源からの光を照明光学系を介して被検眼の眼底に照射し、眼底からの反射光を結像光学系を介して結像させ眼底を観察もしくは撮影する眼底カメラにおいて、眼底カメラを散瞳型あるいは無散瞳型の機能に切り替える手段と、前記観察用光源の発光波長を散瞳型あるいは無散瞳型に切り替える手段と、前記観察用光源の光量を散瞳型あるいは無散瞳型に切り替える手段と、前記撮影用光源の光量を散瞳型あるいは無散瞳型に切り替える手段と、前記照明光学系を散瞳型あるいは無散瞳型に切り替える手段とを備え、前記機能の切り替えに連動して、観察用光源の発光波長と、観察用並びに撮影用光源の光量と、照明光学系とをそれぞれ散瞳型あるいは無散瞳型に切り替え、観察用光源の光量は、無散瞳型に切り替えられたときは、散瞳型のときよりも減少される構成を採用した。
【０００７】
このような構成によれば、散瞳型機能と無散瞳型機能の切り替えに連動して観察用光源の光量と撮影用光源の光量がそれぞれの機能に応じた最適な光量に自動的に切り替えられるので、眼底カメラを散瞳型機能と無散瞳型機能のいずれに切り替えても良好な眼底観察もしくは撮影が可能となる。
【０００８】
さらに詳細に説明するならば、無散瞳型機能の場合には被検眼は自然散瞳の状態で撮影が行われるため、散瞳型に比べて被検眼の瞳孔径は小さい。従って、眼底カメラで通常用いられるリング状照明のリング径も小さくしなくてはならない。従って、この小さいリング径のままで散瞳型と同じ撮影光量で撮影すると暗い眼底像しか得られない。また、無散瞳型機能の観察には通常白黒カメラが用いられるが、一般的に白黒カメラは感度が非常に高く、散瞳型機能の場合の時と同じ観察光量で観察を行うと光量が強すぎるためサチュレーションをおこしてしまう。感度の低いカメラを使用すればよいが、その場合照明光量を上げなくてはならず被検者の負担になり好ましくない。今までは、散瞳型機能と無散瞳型機能に切り替える毎にマニュアル操作で適切な撮影光量と観察光量にしていた。
【０００９】
本発明は、散瞳型機能と無散瞳型機能の切り替えに連動してそれぞれの機能において最適な光量に自動的に切り替えているため、マニュアル操作による光量の切り替えの必要がなく、操作の簡単な散瞳、無散瞳一体型眼底カメラが提供される。
【００１０】
【発明の実施の形態】
以下、図面に示す実施形態に従って本発明を詳細に説明する。
【００１１】
図１に本発明に係わる眼底カメラを示す。赤外を含む可視光の光を発生するランプＬＡがミラーＭ１の中心に配置され、このランプから発せられた光は、コンデンサーレンズＬ１、フィルタＦ１、コンデンサーレンズＬ２を経て、全反射ミラーＭ２によって反射され、続いてリレーレンズＬ３、Ｌ４を経て、中心に穴のあいた穴あき全反射ミラーＭ３で反射されてから、対物レンズＬ５を経て被検眼Ｅの瞳Ｅｐより眼底Ｅｒに入射される。
【００１２】
眼底Ｅｒからの反射光は再び瞳Ｅｐから対物レンズＬ５を介して受光され穴あき全反射ミラーＭ３の穴を介して合焦レンズＬ６、結像レンズＬ７を通過し、ミラーＭ４に入射する。ミラーＭ４で反射された光は、ミラーＭ５で反射されて接眼レンズＬ８により検者Ｓに観察される。ミラーＭ５は、光路から外せるように構成されており、ミラーＭ５が光路から外れた場合には、ミラーＭ４で反射した光束は、ミラーＭ６で反射された後レンズＬ９を介してＣＣＤ上に結像される。
【００１３】
また、フォーカス検知用の光源ＬＥＤ１とＬＥＤ２が設けられ、これらの光源からの光は、ミラーＭ７、レンズＬ１０、ミラーＭ８、レンズＬ１１を経て穴あき全反射ミラーＭ３と結像レンズＬ６間に配置された半透明ミラーＭ９に入射され、穴あき全反射ミラーＭ３、レンズＬ５を介して眼底に合焦用のスポット像が形成される。
【００１４】
また、フィルムＦ上に眼底像を撮影するときのために、フィルタＦ１とレンズＬ２間にストロボＳＲが配置される。なお、フィルムＦ上に眼底像を撮影する場合は、ミラーＭ４を光路から外し、眼底像をフィルムＦ上に導くようにする。
【００１５】
本発明の眼底カメラでは、散瞳型眼底カメラと無散瞳型眼底カメラの機能を実施できるようにするために、種々の切り替えが行なわれる。
【００１６】
まず、被検眼Ｅを照明し観察するための光源の発光波長の切り替えが行なわれる。無散瞳型では、赤外光線で眼底を照明しなければならず、ランプＬＡが可視光を含んでいるため、ランプＬＡからの可視光をカットする必要がある。そのために、可視光のみ通す可視光透過フィルターＦ１と可視光をカットし赤外光を透過させる赤外透過フィルターＦ１’とを切り替え、散瞳型にする場合には、フィルタＦ１が、また無散瞳型ではフィルタＦ１’がそれぞれ光路に挿入される。
【００１７】
次に、フレアーを除去するために、照明系レンズを散瞳型用のレンズＬ３、Ｌ４と無散瞳型用のレンズＬ３’、Ｌ４’に切り替える。これにより散瞳型照明系と無散瞳型照明系の切り替えが行なわれる。
【００１８】
さらに、上記散瞳型カメラと無散瞳型カメラの機能の切り換えに連動して、観察用光源からの光量と撮影用光源からの光量をそれぞれの機能において最適な光量に切り替える。
【００１９】
更に、フォーカス検知のために、フォーカス指標、すなわち合焦用のスポットが眼底に照射されるが、散瞳型では、可視光が、また無散瞳型では赤外光が用いられるので、散瞳型と無散瞳型の切り替えに応じて可視光のフォーカス指標と赤外光のフォーカス指標が切り替えられる。このために、ミラーＭ７が光路に挿入あるいは光路から離脱される。フォーカス検知の光源は、散瞳型では、可視光を発光する発光ダイオードＬＥＤ１が、また、無散瞳型では、赤外発光ダイオードＬＥＤ２が使用されるので、散瞳型では、ミラーＭ７が光路に挿入され、一方無散瞳型ではミラーＭ７が光路から外される。このようにしてこれらの光源からの光がミラーＭ８、Ｍ９を介して眼底に照射され、それぞれ赤外光あるいは可視光のフォーカス指標であるスポット像が眼底に投射される。
【００２０】
散瞳型では、眼底像が接眼レンズＬ８を通して観察されそれにより合焦操作が行なわれる。また、無散瞳型では、ミラーＭ５が光路から外され、ＣＣＤに結像されるスポット像を介してフォーカス検知が行なわれる。いずれのタイプでも、合焦は検者Ｓにより観察され、あるいはＣＣＤに結像される像に基づいて合焦レンズＬ６、Ｌ１１を調節することにより行なわれる。
【００２１】
これらの切り替えは同時に行う必要があり、しかも簡単に確実に行う必要があるために、図２に図示したように、散瞳型と無散瞳型を切り替えるスイッチ１０によりオンオフされるロータリーソレノイド等のアクチュエータ１１を介して概略ブロック１２、１３、１５、１６、１７、１８で図示したように、フィルタＦ１とＦ１’並びにレンズ系Ｌ３、Ｌ４とＬ３’、Ｌ４’の切り替えを行うようにし、またミラーＭ５、Ｍ７をそれぞれ光路に挿脱させる。
【００２２】
またこれらの切り替えに連動して、それぞれの機能において最適な光量である散瞳用観察光量と無散瞳用観察光量、散瞳用撮影光量と無散瞳用撮影光量とをそれぞれに切り替える。具体的な切り替え方法としては、例えば観察用光源の場合には、ランプＬＡにかかる電圧を制御することで行われる。撮影用光源の場合には、容量の異なるコンデンサを複数個用意しておき、ストロボＳＲに放電させるコンデンサをその中から選択することで行われる。
【００２３】
また、フォーカス検知時の切り替えは、ブロック１４で図示したように、発光ダイオードＬＥＤ１とＬＥＤ２をスイッチ１０の切り替えに応じていずれかをオンにするようにする。
【００２４】
次にこのように構成された眼底カメラの動作を説明する。
【００２５】
まず、散瞳型として使用する場合には、スイッチ１０により散瞳型に切り替える。これによりアクチュエータ１１が作動してフィルタＦ１、レンズ系Ｌ３、Ｌ４、並びにミラーＭ５、Ｍ７が光路に挿入され、可視光の発光ダイオードＬＥＤ１がオンにされる。また、これらの切り替えに連動して散瞳用に最適な散瞳用観察光量及び散瞳用撮影光量に切り替える。
【００２６】
この切り替えにより可視光を通過させるフィルターＦ１により眼底Ｅｒは、可視光の光で最適な光量で照明され、一方、可視光の発光ダイオードＬＥＤ１により形成されるスポット像が検者Ｓにより観察されて合焦レンズＬ６を調節することにより焦点合わせが行われる。散瞳型では検者ＳあるいはフィルムＦによる最適な眼底観察、あるいは撮影が可能になる。
【００２７】
一方、無散瞳型として使用する場合には、アクチュエータ１１がオフにされて赤外通過フィルターＦ１’並びにレンズ系Ｌ３’、Ｌ４’が光路に挿入され、ミラーＭ５、Ｍ７が光路から離脱される。一方、赤外発光ダイオードＬＥＤ２がオンにされる。赤外を通過させるフィルターＦ１’により眼底Ｅｒは、赤外光で最適な光量で照明され、一方、赤外発光ダイオードＬＥＤ２によりＣＣＤに形成されるスポット像により焦点合わせが行われる。無散瞳型では、散瞳型のように広画角は得られないが、患者に与える負担を軽減させて最適な眼底観察並びに撮影が可能になる。
【００２８】
なお、眼底カメラを散瞳型あるいは無散瞳型として使用した場合の観察用並びに撮影用光源の光量は次のように調節される。すなわち、無散瞳型機能での観察には通常白黒用のＣＣＤカメラが用いられ、その感度が非常に高いことから、散瞳型機能の場合の時と同じ観察光量で観察を行うと光量が強すぎるため、無散瞳型機能での観察時では、ランプＬＡにかかる電圧を散瞳型機能での電圧に比較して低減させ、無散瞳型機能での観察光量を散瞳時より約８０〜９０％減少させる。
【００２９】
一方、無散瞳型機能での撮影時には、散瞳時に比べて被検眼の瞳孔径は小さくなっており、散瞳型と同じ撮影光量で撮影すると暗い眼底像しか得られないので、無散瞳型機能での撮影時には、ストロボＳＲのコンデンサ容量を散瞳型機能のものに比較して増加させ、無散瞳型機能での撮影光量を散瞳時より約３０〜５０％増加させる。
【００３０】
【発明の効果】
以上説明したように、本発明では、眼底カメラを散瞳型あるいは無散瞳型の機能に切り替えたとき、その切り替えに連動して、観察用光源の発光波長と、観察用並びに撮影用光源の光量と、照明光学系とをそれぞれ散瞳型あるいは無散瞳型に切り替え、観察用光源の光量は、無散瞳型に切り替えられたときは、散瞳型のときよりも減少されるようにしているので、それぞれ観察用光源の発光波長、観察用並びに撮影用光源の光量、並びに照明光学系がそれぞれに適したものに自動的に切り替えられることから、眼底カメラを散瞳型機能と無散瞳型機能のいずれに切り替えても良好な眼底観察もしくは撮影が可能となる。
【図面の簡単な説明】
【図１】本発明の眼底カメラの概略構成を図示した構成図である。
【図２】散瞳型と無散瞳型の機能を切り替える構成を示したブロック図である。
【符号の説明】
ＬＡ      ランプ
Ｆ１      可視光透過フィルタ
Ｆ１’    赤外透過フィルタ
Ｅ        被検眼
Ｓ        検者
ＬＥＤ１  可視光発光ダイオード
ＬＥＤ２  赤外光発光ダイオード
【図１】
0003930957.tif 000002
【図２】
0003930957.tif 000003